【誤訳訂正書】
【提出日】平成21年4月23日(2009.4.23)
【誤訳訂正１】
【訂正対象書類名】特許請求の範囲
【訂正対象項目名】全文
【訂正方法】変更
【訂正の内容】
【特許請求の範囲】
【請求項１】
２つ以上の揮発性組成物を放出するためのシステムであって
前記システムは少なくとも１つの装置を含み、
前記２つ以上の揮発性組成物は、第一の揮発性組成物と第二の揮発性組成物と任意に追加される揮発性組成物とを含み、
前記少なくとも１つの装置は、前記第一の揮発性組成物と前記第二の揮発性組成物と前記任意に追加される揮発性組成物とを実質的に連続的な放出順序で放出するように構成されて、異なる揮発性組成物の放出が、前記放出順序において前記異なる揮発性組成物の間で自動的に交互になされ、
前記揮発性組成物の少なくとも１つが、芯を備える容器の中に供給されるシステム。
【請求項２】
前記２つ以上の揮発性組成物の少なくとも１つが、芳香剤組成物を含む、請求項１に記載のシステム。
【請求項３】
２つ以上の揮発性組成物が、芳香剤組成物を含む、請求項１に記載のシステム。
【請求項４】
前記２つ以上の揮発性組成物が、単一の装置から放出される、請求項１に記載のシステム。
【請求項５】
前記少なくとも１つの装置がプラグを備え、
前記プラグが、前記少なくとも１つの装置を電気コンセント上に支持する、請求項４に記載のシステム。
【請求項６】
前記少なくとも１つの装置が、ハウジングを備える単一の装置を含み、
前記ハウジングが、前記ハウジングに少なくとも間接的に結合されたプラグにより電気コンセント上に支持され、
前記ハウジングが、前記揮発性組成物用の容器を収容する、請求項１に記載のシステム。
【請求項７】
前記２つ以上の揮発性組成物が、２つ以上の装置から放出される、請求項１に記載のシステム。
【請求項８】
前記装置の少なくとも１つがプラグを備え、
前記プラグは、電気コンセントに差し込まれるように適合され且つ前記装置の前記少なくとも１つを前記プラグにより壁上に支持するように適合された、請求項７に記載のシステム。
【請求項９】
前記２つ以上の装置が、少なくとも１つのエアゾール噴霧器を含む、請求項７に記載のシステム。
【請求項１０】
前記２つ以上の装置の少なくとも１つが、前記揮発性組成物の少なくとも１つを放出するタイミングを決めるためのタイマーを更に備える、請求項７に記載のシステム。
【請求項１１】
前記２つ以上の装置の少なくとも１つが、前記揮発性組成物の少なくとも１つを放出する状態を検知するためのセンサーを更に備える、請求項７に記載のシステム。
【請求項１２】
前記センサーが、動きセンサー、光センサー及び音センサーから成る群から選択される、請求項１１に記載のシステム。
【請求項１３】
前記少なくとも１つの装置が、どの揮発性物質が放出されているかを前記装置のユーザーに知らせるための表示器を更に備える、請求項１に記載のシステム。
【請求項１４】
前記表示器が、可視型及び可聴型から成る群から選択される、請求項１３に記載のシステム。
【請求項１５】
２つ以上の揮発性組成物を放出するための装置であって、
前記装置はハウジングを備え、
前記ハウジングは、前記ハウジングに少なくとも間接的に結合されたプラグにより電気コンセント上に支持され、
前記ハウジングは、前記揮発性組成物用の容器を収容しており、前記２つ以上の揮発性組成物は、第一の揮発性組成物と第二の揮発性組成物と任意に追加される揮発性組成物とを含み、
前記装置は、前記第一の揮発性組成物と前記第二の揮発性組成物と前記任意に追加される揮発性組成物とを実質的に連続的な放出順序で放出するように構成されて、異なる揮発性組成物の放出が、前記放出順序において前記異なる揮発性組成物の間で自動的に交互になされ、
前記揮発性組成物の少なくとも１つが、芯を備える容器の中に供給される装置。
【請求項１６】
前記揮発性組成物の少なくとも１つを揮発させるための加熱器を前記ハウジング内に更に備える、請求項１５に記載の装置。
【請求項１７】
前記揮発性組成物の少なくとも１つを分散させるためのファンを前記ハウジング内に更に備える、請求項１５に記載の装置。
【請求項１８】
前記揮発性組成物の少なくとも１つを放出するための加熱器及びファンを前記ハウジング内に更に備える、請求項１５に記載の装置。
【請求項１９】
前記揮発性組成物の少なくとも１つが、液体の形態である、請求項１５に記載の装置。
【請求項２０】
少なくとも１つの加熱器を更に備え、
前記少なくとも１つの加熱器が前記容器の前記芯を包囲している、請求項１に記載の装置。
【請求項２１】
前記少なくとも１つの加熱器が、電気的に作動する、請求項２０に記載の装置。
【請求項２２】
タイミング機構を更に備え、
前記揮発性組成物のそれぞれが、１５分間より長く約４８時間以下の期間中に放出される、請求項１５に記載の装置。
【請求項２３】
前記装置のユーザーに、１５分間より長く約２４時間以下の範囲内で所望の放出期間を選定させることが可能な制御器を更に備える、請求項１５に記載の装置。
【請求項２４】
前記揮発性組成物が、約１５分間以下の期間中に放出される、請求項１５に記載の装置。
【請求項２５】
２つ以上の揮発性組成物を放出するためのシステムであって、
（ａ）少なくとも第一の揮発性組成物を含む１つ以上の揮発性組成物を放出可能な第一の装置と、
（ｂ）少なくとも第二の揮発性組成物を含む１つ以上の揮発性組成物を放出可能な第二の装置と、
（ｃ）１つ以上の任意に追加される揮発性組成物を放出可能な任意に追加される装置と
を含み、
前記第一の揮発性組成物と前記第二の揮発性組成物と前記任意に追加される揮発性組成物とが、実質的に連続的な放出順序で放出されて、異なる揮発性組成物の放出が、前記放出順序において前記異なる揮発性組成物の間で自動的に交互になされ、
前記揮発性組成物の少なくとも１つが、芯を備える容器の中に供給されるシステム。
【誤訳訂正２】
【訂正対象書類名】明細書
【訂正対象項目名】００２７
【訂正方法】変更
【訂正の内容】
【００２７】
図６〜８の容器２８及び３０を構成する瓶は、香り付きの香油の形態の揮発性組成物を収容する。瓶は、揮発性組成物を封じ込めるための封止部３６と、揮発性物質を分配するためのウィック（芯）３８とを更に備える。装置２０並びに／又は瓶２８及び３０は、揮発性物質が放出されていない時に１つ以上の揮発性物質の芯３８を覆うための追加封止部を更に備えてもよい。
【誤訳訂正３】
【訂正対象書類名】明細書
【訂正対象項目名】００２８
【訂正方法】変更
【訂正の内容】
【００２８】
用語「揮発性組成物」は、本明細書で使用する時、蒸発可能であるか又は蒸発可能な物質を含む、物質又は１つ以上の物質から成る別個のユニットを指す。したがって、用語「揮発性組成物」は、もっぱら単一の揮発性物質から成る組成物を含むが、これに限定されない。用語「揮発性物質」、「芳香」、及び「香り」は、本明細書で使用する時、心地よい又は快い匂いを含むがこれらに限定されるものではなく、したがって、殺虫剤、エアフレッシュナー、防臭剤、アロマコロジー、アロマセラピー、殺虫剤として機能する物質、あるいは雰囲気を調整する、変える、又は他の方法で満たす、若しくは環境を変える作用をする他のいかなる物質をも含む。香料、芳香物質、及び香りのする物質が挙げられるがこれらに限定されない特定の揮発性組成物は、１つ以上の揮発性物質から成ることが多いことを理解すべきである（これらは、揮発性物質の集合から成る独特及び／又は別個のユニットを形成することができる）。用語「揮発性組成物」が、少なくとも１つの揮発性構成成分を有する組成物を指すこと、及び揮発性組成物の構成物質の全てが必ずしも揮発性ではないことを理解すべきである。したがって、本明細書に記述される揮発性組成物は、非揮発性構成成分をも有してもよい。揮発性組成物が本明細書において「放出される」と記述される時、これは、その揮発性構成成分の揮発を指しており、その非揮発性構成成分が放出される必要性はないことも理解すべきである。本明細書において関心のある揮発性組成物は、いかなる好適な形態でもあることができ、固体、液体、ゲル、カプセル封入体、芯、及び揮発性物質を含浸された又は含有する多孔質材料などの担体物質、並びにこれらの組み合わせなどが挙げられるが、これらに限定されない。
【誤訳訂正４】
【訂正対象書類名】明細書
【訂正対象項目名】００３２
【訂正方法】変更
【訂正の内容】
【００３２】
図６〜８に示される実施形態では、装置２０は、少なくとも１つの加熱システム又は加熱器、例えば加熱器４０及び４２などを含む。加熱器４０及び４２は、いかなる好適なタイプの加熱器をも含むことができ、また装置２０内の又はこれに関連するいかなる好適な場所にも設置することができる。図６〜８に示される実施形態では、加熱器４０及び４２は、揮発性組成物の瓶から突き出す芯３８を少なくとも部分的に包囲する、円形リングの形態の加熱エレメントを含む。